(57)【要約】【課題】  仕様の異なるシャーシを素早く取り付けることができるとともに、該シャーシを強固に支持することができる、ラックシステムのためのスライドレールアセンブリを提供すること。【解決手段】  ラックシステムのためのスライドレールアセンブリはシャーシをラックに取り付けるように構成されている。シャーシの一方側に固定部材が配置されている。スライドレールアセンブリは、第１のレール部、第２のレール部及び第３のレール部を有するガイドレールを含む。第１のレール部はシャーシの一部を支持するように構成されている。シャーシの固定部材を通すための通路が第２のレール部と第３のレール部との間に定義される。【選択図】  図１
2018014478.tif 000002
【特許請求の範囲】
【請求項１】
シャーシをラックに取り付けるように構成された、ラックシステムのためのスライドレールアセンブリであって、前記シャーシの一方側に固定部材が配置され、
当該スライドレールアセンブリは、
第１のレール部、第２のレール部及び第３のレール部を有するガイドレールを含み、
前記シャーシの一部を支持するために前記第１のレール部は前記第２のレール部に対して屈曲され、前記第３のレール部は前記第２のレール部の上に配置され、前記シャーシの前記固定部材を通すための通路が前記第２のレール部と前記第３のレール部との間に定義され、
前記シャーシが前記ガイドレールに取り付けられる場合、前記シャーシの前記固定部材は前記ガイドレールの前記通路を通り、前記シャーシの前記固定部材は前記ガイドレールの第２のレール部及び第３のレール部の一方に当接する、スライドレールアセンブリ。
【請求項２】
支持フレームをさらに含み、前記ガイドレールは前記支持フレームに可動に連結される、請求項１に記載のスライドレールアセンブリ。
【請求項３】
前記ガイドレールは制限された長手孔を有し、前記ガイドレールは、前記ガイドレールが限られた空間内で前記支持フレームに対して可動になるように前記長手孔を通る連結部材を通じて前記支持フレームに連結される、請求項２に記載のスライドレールアセンブリ。
【請求項４】
前記シャーシの前記固定部材は第１の固定部と、該第１の固定部に連結される第２の固定部とを有し、前記第１の固定部は前記シャーシに連結され、前記第２の固定部の外径は前記第１の固定部の外径よりも大きく、前記シャーシが前記ガイドレールに取り付けられる場合、前記シャーシの前記固定部材は前記ガイドレールの前記通路を通り、前記シャーシの前記固定部材の第１の固定部は前記第２のレール部の上端及び前記第３のレール部の下端のうちの一方に当接し、前記第２のレール部の一方側及び前記第３のレール部の一方側は前記シャーシの別の部分を支持するように構成されている、請求項１に記載のスライドレールアセンブリ。
【請求項５】
前記ガイドレールの第２のレール部は前記ガイドレールの前端に位置し、前記ガイドレールは前記ガイドレールの後端に位置するリアブロック部をさらに有する、請求項１に記載のスライドレールアセンブリ。
【請求項６】
前記ガイドレールの第３のレール部は前記ガイドレールの第１のレール部の長手方向に沿って延びるとともに前記リアブロック部に連結される、請求項５に記載のスライドレールアセンブリ。
【請求項７】
前記ガイドレールのリアブロック部はリア支持部と共に延び、該リア支持部の上端は前記シャーシの前記固定部材に当接するように構成されている、請求項５に記載のスライドレールアセンブリ。
【請求項８】
シャーシをラックに取り付けるように構成された、ラックシステムのためのスライドレールアセンブリであって、前記シャーシの一方側に固定部材が配置され、
当該スライドレールアセンブリは、
第１のレール部、第２のレール部及び第３のレール部を有するガイドレールを含み、
前記シャーシの一部を支持するために前記第１のレール部は前記第２のレール部に対して屈曲され、前記第３のレール部は前記第２のレール部の上に配置され、前記シャーシの前記固定部材を通すための通路が前記第２のレール部と前記第３のレール部との間に定義され、
前記シャーシの前記固定部材は第１の固定部と、該第１の固定部に連結される第２の固定部とを有し、前記第１の固定部は前記シャーシに連結され、前記第２の固定部の外径は前記第１の固定部の外径よりも大きく、
前記シャーシが前記ガイドレールに取り付けられる場合、前記シャーシの前記固定部材の第１の固定部は前記ガイドレールの第３のレール部の下端に当接し、前記ガイドレールの第２のレール部の一方側及び第３のレール部の一方側は前記シャーシの別の部分を支持するように構成されている、スライドレールアセンブリ。
【請求項９】
前記ガイドレールの第２のレール部は前記ガイドレールの前端に位置し、前記ガイドレールは前記ガイドレールの後端に位置するリアブロック部をさらに有し、
前記ガイドレールの第３のレール部は前記ガイドレールの第１のレール部の長手方向に沿って延びるとともに前記リアブロック部に連結される、請求項８に記載のスライドレールアセンブリ。
【請求項１０】
シャーシをラックに取り付けるように構成された、ラックシステムのためのスライドレールアセンブリであって、前記シャーシの一方側に固定部材が配置され、
当該スライドレールアセンブリは、
第１のレール部、第２のレール部及び第３のレール部を有するガイドレールを含み、
前記シャーシの一部を支持するために前記第１のレール部は前記第２のレール部に対して屈曲され、前記第３のレール部は前記第２のレール部の上に配置され、
前記シャーシの固定部材は第１の固定部と、該第１の固定部に連結される第２の固定部とを有し、前記第１の固定部は前記シャーシに連結され、前記第２の固定部の外径は前記第１の固定部の外径よりも大きく、
前記シャーシが前記ガイドレールに取り付けられる場合、前記シャーシの前記固定部材の第１の固定部は前記ガイドレールの第２のレール部の上端に当接し、前記ガイドレールの第２のレール部の一方側及び第３のレール部の一方側は前記シャーシの別の部分を支持するように構成されている、スライドレールアセンブリ。
【請求項１１】
前記ガイドレールの第２のレール部は前記ガイドレールの前端に位置し、前記ガイドレールは前記ガイドレールの後端に位置するリアブロック部をさらに有し、
前記ガイドレールのリアブロック部はリア支持部と共に延び、該リア支持部の上端は前記シャーシの前記固定部材に当接するように構成されている、請求項１０に記載のスライドレールアセンブリ。
【発明の詳細な説明】
【技術分野】
【０００１】
本発明はラックシステムのためのスライドレールアセンブリに関し、より具体的には、仕様の異なるシャーシを素早く取り付けることができるとともに、該シャーシを強固に支持することができるスライドレールアセンブリに関する。
【背景技術】
【０００２】
特許文献１には２つのポストを有するラックが開示されている。各ポストにレールが取り付けられる。各レールは２つのリブを含み、該２つのリブは共にスロットを定義する。スロットの一端はリブの間の距離間隔が大きくなっている。シャーシの２つの側には固定部材が設けられている。上記の構成により、距離間隔の大きい部分を通じてシャーシの固定部材をスロットに嵌入してシャーシを支持することができる。
【０００３】
しかしながら、そのような構成では特定の仕様のシャーシ（１Ｕシャーシ等）の固定部材しか取り付けることができない。特許文献１に開示のラックは支持能力が不十分であるため、他の仕様のシャーシ（２Ｕシャーシ等）を支持することができない。
【先行技術文献】
【特許文献】
【０００４】
【特許文献１】米国特許第６２２０４５６号明細書
【特許文献２】米国特許第６２９７９６２号明細書
【特許文献３】米国特許第８１２７９４０号明細書
【特許文献４】米国特許第８３１７０３７号明細書
【発明の概要】
【発明が解決しようとする課題】
【０００５】
本発明は、仕様の異なるシャーシを素早く取り付けることができるとともに、該シャーシを強固に支持することができる、ラックシステムのためのスライドレールアセンブリに関する。
【課題を解決するための手段】
【０００６】
本発明の一実施形態によれば、ラックシステムのためのスライドレールアセンブリはシャーシをラックに取り付けるように構成されている。シャーシの一方側に固定部材が配置されている。スライドレールアセンブリはガイドレールを含む。ガイドレールは第１のレール部、第２のレール部及び第３のレール部を有する。シャーシの一部を支持するために第１のレール部は第２のレール部に対して屈曲されている。第３のレール部は第２のレール部の上に配置されている。シャーシの固定部材を通すための通路が第２のレール部と第３のレール部との間に定義される。シャーシがガイドレールに取り付けられる場合、シャーシの固定部材はガイドレールの通路を通り、シャーシの固定部材はガイドレールの第２のレール部及び第３のレール部の一方に当接する。
【０００７】
スライドレールアセンブリは支持フレームをさらに含むことが好ましく、ガイドレールは支持フレームに可動に連結される。
【０００８】
ガイドレールは制限された（bounded）長手孔を有することが好ましく、ガイドレールは、ガイドレールが限られた空間内で支持フレームに対して可動になるように、長手孔を通る連結部材を通じて支持フレームに連結される。
【０００９】
シャーシの固定部材は第１の固定部と、該第１の固定部に連結される第２の固定部とを有することが好ましい。第１の固定部はシャーシに連結される。第２の固定部の外径は第１の固定部の外径よりも大きい。シャーシがガイドレールに取り付けられる場合、シャーシの固定部材はガイドレールの通路を通り、シャーシの固定部材の第１の固定部は第２のレール部の上端及び第３のレール部の下端のうちの一方に当接する。ガイドレールの第２のレール部の一方側及び第３のレール部の一方側はシャーシの別の部分を支持するように構成されている。
【００１０】
ガイドレールの第２のレール部はガイドレールの前端に位置することが好ましい。ガイドレールはガイドレールの後端に位置するリアブロック部をさらに有する。
【００１１】
ガイドレールの第３のレール部はガイドレールの第１のレール部の長手方向に沿って延びるとともにリアブロック部に連結されることが好ましい。
【００１２】
別の実施形態によれば、ラックシステムのためのスライドレールアセンブリはシャーシをラックに取り付けるように構成されている。シャーシの一方側に固定部材が配置されている。スライドレールアセンブリはガイドレールを含む。ガイドレールは第１のレール部、第２のレール部及び第３のレール部を有する。シャーシの一部を支持するために第１のレール部は第２のレール部に対して屈曲されている。第３のレール部は第２のレール部の上に配置されている。シャーシの固定部材は第１の固定部と、該第１の固定部に連結される第２の固定部とを有する。第１の固定部はシャーシに連結されている。第２の固定部の外径は第１の固定部の外径よりも大きい。シャーシがガイドレールに取り付けられる場合、シャーシの固定部材の第１の固定部はガイドレールの第３のレール部の下端に当接し、ガイドレールの第２のレール部の一方側及び第３のレール部の一方側はシャーシの別の部分を支持するように構成されている。
【００１３】
別の実施形態によれば、ラックシステムのためのスライドレールアセンブリはシャーシをラックに取り付けるように構成されている。シャーシの一方側に固定部材が配置されている。スライドレールアセンブリはガイドレールを含む。ガイドレールは第１のレール部、第２のレール部及び第３のレール部を有する。シャーシの一部を支持するために第１のレール部は第２のレール部に対して屈曲されている。第３のレール部は第２のレール部の上に配置されている。シャーシの固定部材は第１の固定部と、該第１の固定部に連結される第２の固定部とを有する。第１の固定部はシャーシに連結されている。第２の固定部の外径は第１の固定部の外径よりも大きい。シャーシがガイドレールに取り付けられる場合、シャーシの固定部材の第１の固定部はガイドレールの第２のレール部の上端に当接し、ガイドレールの第２のレール部の一方側及び第３のレール部の一方側はシャーシの別の部分を支持するように構成されている。
【００１４】
ガイドレールの第２のレール部はガイドレールの前端に位置することが好ましい。ガイドレールはガイドレールの後端に位置するリアブロック部をさらに有する。ガイドレールのリアブロック部はリア支持部と共に延びている。リア支持部の上端はシャーシの固定部材に当接するように構成されている。
【００１５】
様々な図面に図示する下記の好ましい実施形態の詳細な説明を読み終えた後、本発明の上記の目的及び他の目的が当業者に間違いなく明らかになる。
【図面の簡単な説明】
【００１６】
【図１】図１は、本発明の一実施形態に係るラックシステムを示す図である。
【図２】図２は、本発明の一実施形態に係るスライドレールアセンブリを示す図である。
【図３】図３は、本発明の一実施形態に係る、第１のシャーシに取り付けられるように構成されたスライドレールアセンブリのガイドレールの前端を示す図である。
【図４】図４は、本発明の一実施形態に係る、第１のシャーシに取り付けられるように構成されたスライドレールアセンブリのガイドレールを示す図である。
【図５】図５は、図４の領域Ａの拡大図である。
【図６】図６は、本発明の一実施形態に係る、第２のシャーシに取り付けられるように構成されたスライドレールアセンブリのガイドレールを示す図である。
【図７】図７は、図６の領域Ｂの拡大図である。
【発明を実施するための形態】
【００１７】
図１は本発明の一実施形態に係るラックシステムを示す図である。ラックシステムは、第１のシャーシ１２（例えば、２Ｕシャーシ）等のシャーシをラック１４に取り付けるように構成された一対のスライドレールアセンブリ１０を含む。ラック１４は第１のポスト１６ａ、第２のポスト１６ｂ、第３のポスト１６ｃ及び第４のポスト１６ｄを含む。一対のスライドレールアセンブリ１０のうちの一方がラック１４の第１のポスト１６ａ及び第２のポスト１６ｂに取り付けられる。一対のスライドレールアセンブリ１０のうちの他方がラック１４の第３のポスト１６ｃ及び第４のポスト１６ｄに取り付けられる。第１のシャーシ１２の２つの側が一対のスライドレールアセンブリ１０に取り付けられる。
【００１８】
図２及び図３に示すように、スライドレールアセンブリ１０は、ラック１４の第１のポスト１６ａ及び第２のポスト１６ｂのそれぞれに取り付けられるように構成された第１のブラケット１８及び第２のブラケット２０を含む。スライドレールアセンブリ１０はガイドレール２２及び支持フレーム２３をさらに含む。ガイドレール２２は第１のレール部２４、第２のレール部２６及び第３のレール部２８を有する。それに加えて、第１のシャーシ１２の２つの相対する側のそれぞれに少なくとも１つの固定部材が設けられている。例えば、第１のシャーシ１２の２つの相対する側に複数の第１の固定部材３０が設けられている。
【００１９】
好ましい実施形態では、ガイドレール２２は、制限された長手孔２９をさらに有し、ガイドレール２２が支持フレーム２３に対して限られた空間内で可動になるように、長手孔２９を通じて連結部材３１が支持フレーム２３に連結されている。
【００２０】
図４及び図５に示すように、ガイドレール２２の第１のレール部２４は第１のシャーシ１２の一部（底部等）を支持するように構成されている。第３のレール部２８は第２のレール部２６の上に配置され、第２のレール部２６と第３のレール部２８との間には第１の固定部材３０を通すための通路３２が定義されている。第１のレール部２４は第２のレール部２６に対して屈曲されている。例えば、ガイドレール２２の第１のレール部２４は、第１のシャーシ１２の一部を支持するためにガイドレール２２の第２のレール部２６に実質的に垂直に連結されている。
【００２１】
好ましい実施形態では、第１の固定部材３０は第１の固定部３８と、第１の固定部３８に連結される第２の固定部４０とを有する。第１の固定部３８は第１のシャーシ１２に連結されている。第２の固定部４０の外径は第１の固定部３８の外径よりも大きい。第１のシャーシ１２がガイドレール２２に取り付けられる場合、ガイドレール２２の第１のレール部２４は第１のシャーシ１２の一部（底部）を支持するように構成され、第１のシャーシ１２の第１の固定部材３０はガイドレール２２の通路を通るように構成されている。第１の固定部材３０の第１の固定部３８はガイドレール２２の第３のレール部２８の下端に当接するように構成され、ガイドレール２２の第２のレール部２６の一方側及び第３のレール部２８の一方側は第１のシャーシ１２の別の部分（側壁等）を支持するように構成されている。上記の構成により、第１のシャーシ１２を素早く取り付けることができ、スライドレールアセンブリのガイドレール２２は第１のシャーシ１２を強固に支持することができる。
【００２２】
具体的には、ガイドレール２２の第３のレール部２８の下端とガイドレール２２の第１のレール部２４との間で第１の高さｈ１が定義される。第１の高さｈ１は第１のシャーシ１２の第１の固定部材３０がガイドレール２２の第３のレール部２８の下端に当接できるようにする。
【００２３】
好ましい実施形態では、図２に示すように、ガイドレール２２の第２のレール部２６はガイドレール２２の前端に位置する。それに加えて、ガイドレール２２は、ガイドレール２２の後端に位置するリアブロック部２７をさらに有する。
【００２４】
好ましい実施形態では、図２に示すように、ガイドレール２２の第１のレール部２４は長さＬを有する。ガイドレール２２の第３のレール部２８はガイドレール２２の第１のレール部２４の長手方向に沿って延びてリアブロック部２７に連結されている。
【００２５】
図６及び図７に示すように、スライドレールアセンブリ１０が、第２のシャーシ４２（例えば１Ｕシャーシ）等の別の仕様のシャーシを取り付けるように構成されている場合、ガイドレール２２の第１のレール部２４は第２のシャーシ４２の一部（底部等）を支持するように構成されている。第２のシャーシ４２は第２の固定部材４３等の少なくとも１つの固定部材を備える。第２の固定部材４３の概要は第１の固定部材３０の概要と同じであり、第２の固定部材４３はガイドレール２２の通路３２を通るように構成されている。第２の固定部材４３の第１の固定部３８はガイドレール部の第２のレール部２６の上端と当接するように構成され、ガイドレール２２の第２のレール部２６の一方側及び第３のレール部２８の一方側は第２のシャーシ４２の別の部分（側壁等）を支持するように構成されている。そのため、第２のシャーシ４２を素早く取り付けることができ、スライドレールアセンブリのガイドレール２２は第２のシャーシ４２も強固に支持することができる。
【００２６】
具体的には、ガイドレール２２の第２のレール部２６の上端とガイドレール２２の第１のレール部２４との間で第２の高さｈ２が定義され、第２の高さｈ２は第１の高さｈ１とは異なる。第２の高さｈ２は第２のシャーシ４２の第２の固定部材４３がガイドレール２２の第２のレール部２６の上端と当接できるようにする。さらに、ガイドレール２２のリアブロック部２７がリア支持部２７ａと共に延びている。リア支持部２７ａの上端は第２のシャーシ４２の第２の固定部材４３と当接するように構成されている。
【００２７】
上述した実施形態によれば、本発明は仕様が異なるシャーシ１２、４２（１Ｕシャーシ及び２Ｕシャーシ等）を素早く取り付けることができ、仕様が異なるシャーシ１２、４２を強固に支持することができる。
【００２８】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００２９】
１０  スライドレールアセンブリ
１２  第１のシャーシ
１４  ラック
１６  ポスト
１８  第１のブラケット
２０  第２のブラケット
２２  ガイドレール
２４  第１のレール部
２６  第２のレール部
２７  リアブロック部
２７ａ  リア支持部
２８  第３のレール部
２９  長手孔
３０  第１の固定部材
３２  通路
３８  第１の固定部
４０  第２の固定部
４２  第２のシャーシ
４３  第２の固定部材
【図１】
2018014478.tif 000003
【図２】
2018014478.tif 000004
【図３】
2018014478.tif 000005
【図４】
2018014478.tif 000006
【図５】
2018014478.tif 000007
【図６】
2018014478.tif 000008
【図７】
2018014478.tif 000009